(57)【要約】      （修正有）【課題】ビテイ足場組み立てをウィンチで行う場合、釣元を作る為、最上部上部に上がり足場用単管やクランプなどで組み立て釣元にウインチを引掛けていた。またクレーン車による場合には、地上で複数スパンを組み立て吊り上げている。そのため地上での組み立て場所や資材の置き場、またクレーン車の設置場所など広いスペースが必要である。従って市街地のビル、やマンションの外部の外装工事などの場合非常に難しい問題である。【解決手段】パイプクランプとスライド金具に滑車を付け下部クランプ金物３０のアイ１３にケーブルを結束し、中間３１及び下部クランプ３０の滑車１４に通しウインチのフック２４に引掛ける。ジブクレーンのコラムを上下にスライド可能にする事によりウインチの吊元が高くなる。下部３０、中間３１、上部クランプ金物３２の移動によりジブクレーンを吊り上げ用ウインチで巻き上げる事により上部に移動するものである。【選択図】図１９
2011007026.tif 000002
【特許請求の範囲】
【請求項１】
ビテイ足場の柱に固定する開閉可能なパイプクランプとジブクレーンのコラムに上下スライド可能な金物に滑車を取り付けアイを付けた金物。
【請求項２】
開閉可能なパイプクランプとスライド金物に滑車を付けることにより上部ウインチで巻き上げジブクレーンのコラムを上下にスライド可能にする。
【請求項３】
コラム、ジブを簡単に分解、組み立てを出来ブームが回転出来る様にする。ジブクレーン上部のウインチをブーム先端よりブーム根元に移動出来るようにする為、先端と根元に滑車を取り付け用アイをつける。
【発明の詳細な説明】
【技術分野】
【００１】本発明はビテイ足場組み立て分解を効率化するためのシステムである。
上部滑車金物、開放可能な下部クランプ金物。上部クランプ金物、中間クランプ金物、開放可能でスライド可能なクランプ金物のスライド移動しクランプする。
ジブクレーンの吊り上げ用ウインチで巻き上げることにより、上方下方に移動するものである。
【背景技術】
【００２】
【発明が解決しようとする課題】
【００３】元来、ビテイ足場組み立ては人手で上部に持ち上げたり、ウインチやクレーン車により吊り上げていた。ウインチで吊り上げる場合、釣元を作る為上部に上がり足場用単管やクランプなどで組み立て釣元にチエンブロック型（ウインチ以下ウインチと言う）を引掛けているので非常に危険である。現在ではクレーン車が多いが地上で複数スパンを組み立て持ち上げているビテイ足場組み立ては複数名の人手が最上部上がりクレーン車で複数スパンを組み立て吊り上げている。ビテイ足場の資材の置き場クレーン車の設置場所など広いスペースがが必要である。また  騒音、ＣＯ２問題、など色々な問題が発生する。又市街地のビル、やマンションの外部の外装工事などの場合非常に難しい問題である。
【課題を解決するためのの手段】
【００４】ジブクレーンコラムを横に置き上部滑車金物を最上部にロックボルトにより固定し上部クランプ金物、中間クランプ金物、下部クランプ金物をはめ込む、上部滑車金物と下部クランプ金物をねじれの無い様にロックボルトで固定する。
【００５】下部クランプ金物、中間クランプ金物、上部クランプ金物、上部滑車金物の順にワイヤー（１７）を通す。ワイヤーは中間クランプ金物、上部クランプ金物が回転しない様スライド運動する為のガイドワイヤーである。
【００６】上部滑車金物の（図８−１３）のアイにシャックルでＷ滑車を取り付けロープを通し一方は、上部クランプ金物、もう一方は中間クランプ金物に結束する。
【００７】下部クランプ金物の（図１−１４）の滑車より中間クランプ金物図４−１４の滑車にロープを通し下部クランプ金物のアイに（図１−１３）ロープを結束する。
【００８】ビテイ足場本体柱の下部に（図１２−３０）下部クランプ金物をクランプナットで締め付ける。中間クランプ金物をビテイ足場本体上部のブレース金物付近に（図１２−３１）締め付ける。上部クランプ金物はビテイ足場本体柱の最上部に（図１２−３２）上部クランプ金物をロックナットで締め付ける。
【００９】ジブクレーンのジブをコラムの先端に差込み、ウインチをブームに引掛ける。
【０１０】次の段のビテイ足場本体を吊り上げセットし、上部クランプ金物をロックナットを外しクランプを開放（図３）。上部滑車金物から出したロープ（２１）で引き上げ上部クランプ金物をビテイ足場本体柱の上部に上部クランプ金物をクランプナット（座付きナットでも良い）で締め付ける。（図１４）
【０１１】中間クランプ金物のロックナットを外しクランプを開放（図３）。上部滑車金物から出したロープ（２１）で引き上げ中間クランプ金物をビテイ足場本体下部のブレース金物付近に締め付ける。（図１５）
【０１２】ビテイ足場の資材（ビテイ足場本体、アンチ、ブレス）など吊り上げながら順次組み立てて行く、組み立てが終了したら、ウインチ水平移動用ロープ（２５）を操作しウインチをブーム根元に移動する。下部クランプ金物の滑車部分より出しておいたロープ（２６）をウインチのフック（２４）にセットし下部クランプ金物のジブクレーンの加重が掛かる程度に吊り上げ、下部クランプ金物のロックナットを外し開放（図３）、ウインチで巻き上げる事により次の段のビテイ足場本体柱下部まで上昇する事ができる。（図１６）ビテイ足場本体柱下部に下部クランプ金物のクランプナットで締め付けロープ（２６）をフック（２４）より外す。（図１７）ウインチ水平移動用ロープ（２５）を操作しウインチをブーム先端に移動する。
【０１３】（図１２）より（図１９）までの繰り返しによりジブクレーンを上部に移動することが出来るのである。
【発明の効果】
【０１４】ビテイ足場組み立ては人手で上部に持ち上げたりウインチやクレーン車より作業者が足場の内側より作業出来る為安全であり、クレーン車の設置場所など広いスペースがが必要である。また  騒音、排気ガスなど発生せず。又省力化が出来る。
【０１５】クレーン車を使用しない為、経済的である。
又クレーン車の設置場所の広いスペースがが必要ない。
【発明を実施するための最良の形態】
【０１６】
【実施例】
【０１７】
【産業上の利用可能性】
【０１８】ビテイ足場組み立てだけでなくビテイ足場組の分解、建設資材、防災ネット、工具などの持ち上げなどにも使用できる。
【図面の簡単な説明】
【０１９】
【図１】下部クランプ金物正面図
【０２０】
【図２】下部クランプ金物平面図
【０２１】
【図３】クランプ金物開放平面図
【０２２】
【図４】中間クランプ金物正面図
【０２３】
【図５】中間クランプ金物平面図
【０２４】
【図６】上部クランプ金物正面図
【０２５】
【図７】上部クランプ金物平面図
【０２６】
【図８】上部滑車金物正面図
【０２７】
【図９】上部滑車金物平面図
【０２８】
【図１０】ブーム正面図
【０２９】
【図１１】ブーム平面図
【０３０】
【図１２】ビテイ足場吊り上げ図１
【０３１】
【図１３】クランプ金物配置図１
【０３２】
【図１４】クランプ金物配置図２
【０３３】
【図１５】クランプ金物配置図３
【０３４】
【図１６】ジブクレーン移動図１
【０３５】
【図１７】ジブクレーン移動図２
【０３６】
【図１８】ジブクレーン移動図３
【０３７】
【図１９】上部ビテイ足場本体吊り上げ図２
【符号の説明】  １ビテイ足場本体柱
２ジブクレーンコラム
３スライドパイプ
４ヒンジプレート
４Ａ  ヒンジプレート
５ロック用ナット
６ロック用ボルト
７ヒンジビン
８ヒンジリブプレート
９クランププレート
１０カバープレート
１１ヒンジボルト（デンデンボルト）
１２クランプレバー
１３  アイプレート
１３Ａ  アイプレート（ウインチ移動用）
１３Ｂ  アイプレート（ウインチ移動用）
１４ワイヤー貫通穴
１５滑車
１６ワイヤーロック金具
１７ガイドワイヤー
１８ジブクレーンブーム
１９ウインチストッパー
２０ブームストッパー
２１クランプ金物引き上げ用ロープ
２２Ｗ滑車（市販品）
２３Ｓ滑車（市販品）
２４ウインチフック
２５ウインチ水平移動用ロープ
２６コラム引き上げ用ロープ
２７
２８
２９
３０下部クランプ金物
３１中間クランプ金物
３２上部クランプ金物
３３上部滑車金物
【図１】
2011007026.tif 000003
【図２】
2011007026.tif 000004
【図３】
2011007026.tif 000005
【図４】
2011007026.tif 000006
【図５】
2011007026.tif 000007
【図６】
2011007026.tif 000008
【図７】
2011007026.tif 000009
【図８】
2011007026.tif 000010
【図９】
2011007026.tif 000011
【図１０】
2011007026.tif 000012
【図１１】
2011007026.tif 000013
【図１２】
2011007026.tif 000014
【図１３】
2011007026.tif 000015
【図１４】
2011007026.tif 000016
【図１５】
2011007026.tif 000017
【図１６】
2011007026.tif 000018
【図１７】
2011007026.tif 000019
【図１８】
2011007026.tif 000020
【図１９】
2011007026.tif 000021